(57)【要約】【課題】使い勝手を損なうことなく、グリル扉を幼児などがうっかり触っても熱くない加熱調理器を提供することを目的とする。【解決手段】グリル扉１４の前面の少なくとも一部を覆って着脱自在にガード部材１７を取付けたものである。これによって、ガード部材１７の存在でグリル使用中あるいは使用直後のグリル扉１４が熱い時においても、グリル扉１４に直接触れることがないので、安全性が一層高まり、使い勝手を損なうことなく、グリル扉１４を幼児などがうっかり触っても熱くない加熱調理器が提供できる。【選択図】図２
2008180430.tif 000002
【特許請求の範囲】
【請求項１】
本体内に配されたグリル加熱室と、グリル加熱室の開口を覆い開閉自在に配されたグリル扉と、グリル扉の前面の少なくとも一部を覆って着脱自在に取付けたガード部材とを有する加熱調理器。
【請求項２】
グリル扉の持ち手にガード部材の一部を嵌着して取付けた請求項１に記載の加熱調理器。
【請求項３】
グリル扉の持ち手に少なくとも１ヶ所以上の穴部を形成するとともに、ガード部材の相対する位置に突起を形成し、突起を穴部に嵌合させてガード部材をグリル扉の前面に取付けた請求項１または２に記載の加熱調理器。
【請求項４】
グリル扉の持ち手に、ボスを少なくとも１ヶ所以上形成するとともに、ガード部材の相対する位置に切り欠きまたは穴部の取付け部を形成し、取付け部を通してねじをボスにねじ込むことにより、ガード部材をグリル扉の前面に取付けた請求項１〜３のいずれか１項に記載の加熱調理器。
【請求項５】
ガード部材のグリル扉への取付け時において、グリル扉の前面とガード部材との間に空気層を設けた請求項１〜４のいずれか１項に記載の加熱調理器。
【請求項６】
ガード部材に磁石を取付け、グリル扉の金属部に磁石の吸着力によりガード部材を保持した請求項１〜５のいずれか１項に記載の加熱調理器。
【請求項７】
ガード部材を、透明性を有する合成樹脂にて形成した請求項１〜６のいずれか１項に記載の加熱調理器。
【請求項８】
ガード部材の一部にシボ加工を施した請求項７に記載の加熱調理器。
【発明の詳細な説明】
【技術分野】
【０００１】
本発明は、一般家庭の台所や業務用の厨房などで使用される、グリル加熱室を備えた加熱調理器に関するものである。
【背景技術】
【０００２】
従来この種の加熱調理器におけるグリル（ロースター）の概略構成は、本体内にグリル加熱室（調理室）を設け、このグリル加熱室に調理物を載せる網を載置した受け皿を収納するようにしている。そして、グリル加熱室内に臨ませたヒーターよって調理物を加熱調理するものが一般的である（例えば、特許文献１参照）。
【特許文献１】特開平１０−３００１０２号公報
【発明の開示】
【発明が解決しようとする課題】
【０００３】
しかしながら、前記従来の構成では、グリル加熱室のグリル扉はヒーターに熱せられて熱くなるため、取扱い説明書にその旨を記載するとか、グリル扉に「高温注意」などの文字を印刷して注意をうながしても、文字の読めない幼児などはグリル使用中あるいは使用直後のグリル扉が熱い時に触ってしまう可能性があった。特に、内部を観察できるよう、グリル扉はガラス製の窓部を有する場合が殆どで、この場合、ヒーターから受ける熱が直接製品外面に伝わるため、グリル扉の内では最も熱くなり易い部分である。
【０００４】
本発明は、前記従来の課題を解決するもので、使い勝手を損なうことなく、グリル扉を幼児などがうっかり触っても熱くない加熱調理器を提供することを目的とする。
【課題を解決するための手段】
【０００５】
前記従来の課題を解決するために、本発明の加熱調理器は、グリル扉の前面の少なくとも一部を覆って着脱自在にガード部材を取付けたものである。
【０００６】
これによって、ガード部材の存在でグリル使用中あるいは使用直後のグリル扉が熱い時においても、グリル扉に直接触れることがないので、安全性が一層高まり、使い勝手を損なうことなく、グリル扉を幼児などがうっかり触っても熱くない加熱調理器が提供できる。
【発明の効果】
【０００７】
本発明の加熱調理器は、使い勝手を損なうことなく、グリル使用中あるいは使用直後の扉が熱い時においても、グリル扉を幼児などがうっかり触っても熱くない加熱調理器を実現できるのである。
【発明を実施するための最良の形態】
【０００８】
第１の発明は、本体内に配されたグリル加熱室と、グリル加熱室の開口を覆い開閉自在に配されたグリル扉と、グリル扉の前面の少なくとも一部を覆って着脱自在に取付けたガード部材とを有する加熱調理器とすることにより、ガード部材の存在でグリル使用中あるいは使用直後のグリル扉が熱い時においても、グリル扉に直接触れることがないので、安全性が一層高まり、使い勝手を損なうことなく、グリル扉を幼児などがうっかり触っても熱くない加熱調理器が提供できる。また、ガード部材は着脱自在であるため、例えば、このガード部材をオプションとして別売することにより不要な使用者には、それだけ安価に製品を提供できるのである。
【０００９】
第２の発明は、特に、第１の発明において、グリル扉の持ち手にガード部材の一部を嵌着して取付けたことにより、一般に、グリル扉のうちでは比較的ヒーターの熱が伝わりにくく構成する持ち手からは殆ど熱が伝わらないため、ガード部材としての機能が更に高まる。
【００１０】
第３の発明は、特に、第１または第２の発明において、グリル扉の持ち手に少なくとも１ヶ所以上の穴部を形成するとともに、ガード部材の相対する位置に突起を形成し、突起を穴部に嵌合させてガード部材をグリル扉の前面に取付けたことにより、締結部材などを使わずに取付けられるので工具などを使用しなくても装着でき、簡便で、かつ取り外しが容易なため、手入れ性も良い。
【００１１】
第４の発明は、特に、第１〜第３のいずれか１つの発明において、グリル扉の持ち手に、ボスを少なくとも１ヶ所以上形成するとともに、ガード部材の相対する位置に切り欠きまたは穴部の取付け部を形成し、取付け部を通してねじをボスにねじ込むことにより、ガード部材をグリル扉の前面に取付けたことにより、より強固な装着ができるので、乱暴な取扱いをされたときにも外れることがない。
【００１２】
第５の発明は、特に、第１〜第４のいずれか１つの発明において、ガード部材のグリル扉への取付け時において、グリル扉の前面とガード部材との間に空気層を設けたことにより、その空気層による断熱効果も手伝って、ガード部材としての機能がより一層高まる。
【００１３】
第６の発明は、特に、第１〜第５のいずれか１つの発明において、ガード部材に磁石を取付け、グリル扉の金属部に磁石の吸着力によりガード部材を保持したことにより、グリル扉にガード部材を固定するためのボス・穴などが不要で外観も見栄え良く、かつ着脱が容易で手入れ性も良い。
【００１４】
第７の発明は、特に、第１〜第６のいずれか１つの発明において、ガード部材を、透明性を有する合成樹脂にて形成したことにより、グリル扉の窓部からのグリル加熱室内の観察を妨げることなく、ガード部材としての機能を果たすことができる。
【００１５】
第８の発明は、特に、第７の発明において、ガード部材の一部にシボ加工を施したことにより、例えば、窓部以外にこのシボ加工を施せば、グリル加熱室内の観察を妨げずにそれ以外の部分の内面に形成したボス・突起などを見えにくくし、外観の見栄えを良くすることができる。
【００１６】
以下、本発明の実施の形態について、図面を参照しながら説明する。なお、この実施の形態によって本発明が限定されるものではない。
【００１７】
（実施の形態１）
図１〜図５は、本発明の実施の形態１における加熱調理器として誘導加熱装置を例示している。
【００１８】
図１に示すように、本実施の形態における加熱調理器は、本体１の天面に、鍋、フライパンなどの調理器具を載置する天板２が配されている。天板２は高耐熱のガラスなどの電磁誘導によって加熱されない材質で構成されている。トップフレーム３は、天板２の外周を囲み、本体１の天面の一部もしくは殆ど全部を構成しており、天板２を介して伝わる調理器具からの熱に十分耐え、かつ外観部品として見栄えがよく、腐食にも強いステンレスやホーロー処理鋼板などの金属からなっている。
【００１９】
トップフレーム３に形成された操作部４の内部には、後述する操作部ユニットなどが配設されている。
【００２０】
そして、この加熱調理器は、一般家庭の台所や業務用の厨房などにおけるキャビネットＡ上に本体１を載置して使用する据え置き型のものである。
【００２１】
図２において、天板２の下方には加熱手段を構成する誘導加熱コイル５が近接して設けられている。誘導加熱コイル５はコイルケース６に収納され、本体１内の所定の位置に保持されている。誘導加熱コイル５には電源回路７によって高周波電力が供給される。誘導加熱コイル５および電源回路７は冷却ファン８からの送風によって冷却される。
【００２２】
トップフレーム３の操作部４下方に配設された操作部ユニット９は、外部操作により機器の運転を制御するための信号入力部、および機器の運転状態を表示する表示部などを有する制御回路を収納している。
【００２３】
また、本体１内には略箱形状のグリル加熱室１０が配設されており、グリル加熱室１０内に発熱部を臨ませたヒーター１１よって加熱調理を行なう。グリル加熱室１０内には、調理物を載せる焼き網１２を載置した受け皿１３を収納してある。
【００２４】
グリル使用時はグリル加熱室１０の開口を覆うグリル扉１４は受け皿１３に嵌着されており、グリル扉１４と受け皿１３は連動して前後に摺動する。
【００２５】
グリル扉１４は、金属などに比して熱伝導率の低い合成樹脂などにより形成された持ち手１５や、グリル加熱室１０内部での調理物の状態を観察できるように、ガラスなどの耐熱性を有しかつ透明な材料からなる窓部１６などで構成されている。
【００２６】
グリル扉１４の前面には、前面の少なくとも一部を覆って着脱自在にガード部材１７が取付けてある。図に示すように、ガード部材１７は、衝立状をしているものである。
【００２７】
図３に示すように、ガード部材１７は、グリル扉１４の窓部１６を含む前面の大部分を覆う遮蔽部１８と、グリル扉１４の持ち手１５の左右端近傍を覆っている持ち手カバー部１９により構成されている。持ち手カバー部１９の裏面には、グリル扉１４の持ち手１５に形成した穴部２０に相対する位置に突起２１が形成されており、突起２１を穴部２０に嵌合させて取付けている。
【００２８】
図４、図５は、ガード部材１７をグリル扉１４に取付けた状態を示すものである。このガード部材１７を有する構成により、グリル使用中あるいは使用直後でのグリル扉１４が熱い時においても、特に内部を観察できるようにガラスなどの透明材料１層で形成するが故に、ヒーター１１の熱が直接製品外面に伝わる窓部１６に直接触れることがなく、安全性が一層高まる。また、ガード部材１７は着脱自在であるため、使用実態によっては不要な場合はガード部材１７を取り外して本来の製品状態で使用することができる。したがって、例えば、このガード部材１７をオプションとして別売するようにすれば不要な使用者には、それだけ安価に製品を提供できるのである。
【００２９】
また、グリル扉１４の持ち手１５にガード部材１７の一部である持ち手カバー部１９を嵌着したことにより、一般にグリル扉１４の中では比較的ヒーター１１の熱が伝わりにくく構成し、かつ材質も金属などに比べて熱伝導率の低い合成樹脂などによって形成される持ち手１５からは殆ど熱が伝わらない。このため、ガード部材１７としての機能が更に高まる。
【００３０】
また、持ち手１５に形成した穴部２０にガード部材１７の持ち手カバー部１９に形成した突起２１を嵌合させて固定することにより、締結部材などを使わずに取付けられるため、工具などを使用しなくても装着でき、簡便でかつ取り外しが容易なため、手入れ性も良い。
【００３１】
（実施の形態２）
図６は、本発明の実施の形態２における加熱調理器のグリル扉部の構成を示している。加熱調理器の構成は実施の形態１と同様であるのでその説明を省略する。
【００３２】
図に示すように、本実施の形態における加熱調理器のグリル扉２２は、その持ち手２３の内面に、ねじ締め用の中空部２４を有するボス２５が形成されており、ガード部材２６の持ち手カバー部２７の、ボス２５に相対する位置には、切り欠きまたは穴部の取付け部２８が形成されている。ガード部材２６は、取付け部２８を通してねじ２９をボス２５にねじ込むことにより、グリル扉２２の前面に取付けられている。
【００３３】
これにより、より強固にガード部材２６を装着できるので、グリル扉２２などを乱暴に取扱われた際にもガード部材２６が脱落することがない。
【００３４】
（実施の形態３）
図７は、本発明の実施の形態３における加熱調理器のグリル扉部の構成を示している。加熱調理器の構成は実施の形態１と同様であるのでその説明を省略する。
【００３５】
図に示すように、本実施の形態における加熱調理器のグリル扉３０は、その持ち手３１に形成した穴部３２に、ガード部材３３の持ち手カバー部３４に形成した突起３５を嵌合させる（実施の形態１と同様）。ここで、遮蔽部３６の上部には、磁石３７が取付けられており、グリル扉３０上部に装飾・清潔感の向上のためにＳＵＳ４３０のような磁性ステンレス製の飾り板３８が取付けられており、磁石３７の飾り板３８に対する吸着力によりガード部材３３はグリル扉３０に保持される。
【００３６】
これにより、グリル扉３０にガード部材３３を固定するためのボス・穴などが不要で外観も見栄え良く、かつ着脱が容易で手入れ性も良い。
【００３７】
また、ガード部材３３をグリル扉３０に装着した状態において、グリル扉３０の前面とガード部材３３との間には隙間を設けて空気層３９が形成されている。これにより、空気層３９の断熱効果も手伝って、グリル扉３０に触れた時に熱くないようにするガード部材３３としての機能がより一層高まる。
【００３８】
また、ここでガード部材３３は透明性を有する合成樹脂にて形成してある。これにより、グリル扉３０の窓部４０からのグリル庫内の観察を妨げることなく、ガード部材３３としての機能を果たすことができる。さらに、窓部４０に略相当する範囲ａを除く箇所にはシボ加工を施してあり、その透明性を緩和して裏側が見えにくくしてあり、これにより、グリル加熱室内の観察を妨げずにそれ以外の部分の内面に形成したボス・突起などを見えにくくして外観の見栄えを良くすることができる。
【００３９】
ここで、本発明の各実施の形態１〜３においては、グリル扉の持ち手をグリル扉の下部に設けたものであるが、グリル扉の上部に持ち手を設けたものであっても同様の効果を発揮することは言うまでもない。また、加熱調理器として誘導加熱装置を例示しているが、これに限られるものではなく、さらに、機器としては複合式ではなくグリルなどの加熱調理器単体であっても良い。
【産業上の利用可能性】
【００４０】
以上のように、本発明にかかる加熱調理器は、使い勝手を損なうことなく、グリル扉を幼児などがうっかり触っても熱くない加熱調理器を提供できるもので、グリルの加熱手段やグリル以外の調理機能にかかわらず加熱調理器全般に適用できる。
【図面の簡単な説明】
【００４１】
【図１】本発明の実施の形態１における加熱調理器を示す斜視図
【図２】同加熱調理器の主要構成部品を示す分解斜視図
【図３】同加熱調理器の要部を示す分解斜視図
【図４】同加熱調理器の要部を示す組立斜視図
【図５】同加熱調理器の要部を示す断面図
【図６】本発明の実施の形態２における加熱調理器の要部を示す断面図
【図７】本発明の実施の形態３における加熱調理器の要部を示す断面図
【符号の説明】
【００４２】
１  本体
１０  グリル加熱室
１１  ヒーター
１３  受け皿
１４、２２、３０  グリル扉
１５、２３、３１  持ち手
１６、４０  窓部
１７、２６、３３  ガード部材
１８、３６  遮蔽部
１９、２７、３４  持ち手カバー部
２９  ねじ
３７  磁石
３８  飾り板
３９  空気層
【図１】
2008180430.tif 000003
【図２】
2008180430.tif 000004
【図３】
2008180430.tif 000005
【図４】
2008180430.tif 000006
【図５】
2008180430.tif 000007
【図６】
2008180430.tif 000008
【図７】
2008180430.tif 000009